(57)【要約】【課題】収容体の外部からリールを手動で回転させることができるようにする。【解決手段】メインリール３１と、メインリール３１を回転駆動するモータとを含むメインリールユニット３０をリールケース本体１０９及びリールケースカバー１１０の内部に複数個並設した図柄変動表示装置と、基体部及びフロントマスク部を有する筐体とを備え、図柄変動表示装置がフロントマスク部の裏面側に取り付けられることにより、各メインリール３１の図柄がフロントマスク部の前面側から見えるように配置されるとともに、フロントマスク部の裏面側では各メインリール３１がリールケース本体１０９及びリールケースカバー１１０により覆われたスロットマシンであって、リールケースカバー１１０は、外部からメインリール３１を手動で回転させることができる大きさの開口部１１０ａを有し、かつ開口部１１０ａを開閉可能なシャッター１１３を備える。【選択図】        図５
2005007090.tif 000002
【特許請求の範囲】
【請求項１】
複数種類の図柄を外周面に表示したリールと、
前記リールの内周側に配置され、前記リールを回転駆動する駆動部と
を含むリールユニットを収容体の内部に複数個並設した図柄変動表示装置と、
前面を開口した基体部、及び前記基体部の前面を開閉可能に前記基体部に取り付けられたフロントマスク部を有する筐体と
を備え、
前記図柄変動表示装置が前記フロントマスク部の裏面側に取り付けられることにより、前記図柄変動表示装置の各前記リールの図柄が前記フロントマスク部の前面側から見えるように配置されるとともに、前記フロントマスク部の裏面側では前記図柄変動表示装置の各前記リールが前記収容体により覆われたスロットマシンであって、
前記収容体は、前記収容体の外部から各前記リールを手動で回転させることができる大きさの開口部を有し、かつ前記開口部を開閉可能な開閉手段を備える
ことを特徴とするスロットマシン。
【請求項２】
請求項１に記載のスロットマシンにおいて、
前記開閉手段は、前記開口部を閉じた際に、前記収容体の内部と外部との通気性を確保する通気部を備える
ことを特徴とするスロットマシン。
【発明の詳細な説明】
【０００１】
【発明の属する技術分野】
本発明は、複数種類の図柄を外周面に表示したリールを含むリールユニットを、収容体の内部に複数個並設して図柄変動表示装置を構成し、この図柄変動表示装置を筐体のフロントマスク部の裏面側に取り付けたスロットマシンに関するものである。
【０００２】
【従来の技術】
従来より、スロットマシンには、複数種類の図柄を外周面に表示したリールと、このリールを駆動するモータ（駆動部）とを有するリールユニットを、複数個並設した図柄変動表示装置が取り付けられている。
このような図柄変動表示装置は、リールの内周側に配置されたモータを駆動してリールを回転させるとともにスロットマシン内部で抽選を行い、その抽選結果に基づいてモータの駆動を制御し、リールを所定の位置に停止させるように構成されている。
【０００３】
ここで、リールユニットは、通常、スロットマシン内部に複数並設されるが、例えば複数個のリールユニットを１つのケース内に収容し、このケースを筐体のフロントマスク部の裏面側に取り付け、各リールの図柄がフロントマスク部の前面側から見えるように配置したスロットマシンが知られている（例えば、特許文献１参照。）。
【０００４】
【特許文献１】
特開２００２−５８７８３号公報  （第４−６頁、図１−６）
【０００５】
【発明が解決しようとする課題】
しかし、ケース内にリールユニットを収容すると、リールを手動で回転させる必要がある場合に不都合が生じる。
すなわち、スロットマシンの出玉率は、スロットマシンの設定値によって定まるようになっており、出玉率を変更するために、設定値の変更が行われる。
【０００６】
この場合、設定値の変更によって、ＲＡＭの内容がクリア（消去）される結果、設定値の変更直前におけるリールの停止位置を記憶したデータが失われる。これにより、設定値の変更後の第１遊技目では、それまでのリールの位置が不明となるので、リールの回転開始時の挙動が通常と異なる動作をしてしまう。
これを放置しておくと、リールの挙動から、設定変更の有無が遊技者に対して明らかとなる。このため、リールを手動で回転させることが行われる。
【０００７】
ところが、上記特許文献１のように、リールユニットをケース内に収容してしまうと、外部からリールに触れることが難しくなる。特に、各リールの後部までケースで覆うことにより、図柄変動表示装置をユニット化すると、ケースによってリールがほぼ密閉された状態となり、ケースを取り外さなければリールに触れることができないこととなる。
そのため、リールがケースで覆われていると、リールの手動回転が非常に煩わしいものとなる。
【０００８】
したがって、本発明が解決しようとする課題は、リールをケースで覆って図柄変動表示装置のユニット化を図りつつ、ケースの外部からリールに簡単に触れることができるようにすることである。
【０００９】
【課題を解決するための手段】
本発明は、以下の解決手段によって、上述の課題を解決する。
（請求項１）
請求項１の発明は、複数種類の図柄を外周面に表示したリールと、前記リールの内周側に配置され、前記リールを回転駆動する駆動部とを含むリールユニットを収容体の内部に複数個並設した図柄変動表示装置と、前面を開口した基体部、及び前記基体部の前面を開閉可能に前記基体部に取り付けられたフロントマスク部を有する筐体とを備え、前記図柄変動表示装置が前記フロントマスク部の裏面側に取り付けられることにより、前記図柄変動表示装置の各前記リールの図柄が前記フロントマスク部の前面側から見えるように配置されるとともに、前記フロントマスク部の裏面側では前記図柄変動表示装置の各前記リールが前記収容体により覆われたスロットマシンであって、前記収容体は、前記収容体の外部から各前記リールを手動で回転させることができる大きさの開口部を有し、かつ前記開口部を開閉可能な開閉手段を備えることを特徴とする。
【００１０】
請求項１の発明においては、図柄を外周面に表示したリールを含むリールユニットは、収容体の内部に複数個並設される。そのため、並設によってユニット化した図柄変動表示装置をスロットマシンの筐体のフロントマスク部裏面側に取り付けるだけで、複数のリールが所定の間隔で並んで設置され、各リールの図柄がフロントマスク部の前面側から見えるように配置される。
【００１１】
また、リールユニットの収容体には、収容体の外部から各リールを手動で回転させることができる大きさの開口部が設けられている。
したがって、図柄変動表示装置の各リールが、フロントマスク部の裏面側で収容体に覆われていても、フロントマスク部から収容体を取り外すことなく、リールを所定の位置まで手動で回転させることができる。しかも、開口部の大きさに応じた保守、点検も可能となる。
【００１２】
さらに、収容体の開口部には、開閉手段が設けられている。
したがって、必要時を除いて開口部を閉鎖しておくことにより、リールユニットへのメダル等の異物の混入を阻止できる。なお、閉め忘れ防止のために、開閉手段を常に閉口側に向けて位置させる弾性体（バネ等）を設けたり、閉め忘れても問題が生じないように、開口部をメダル等の異物が入らない大きさや形状にすることもできる。
【００１３】
（請求項２）
請求項２の発明は、請求項１に記載のスロットマシンにおいて、前記開閉手段は、前記開口部を閉じた際に、前記収容体の内部と外部との通気性を確保する通気部を備えることを特徴とする。
【００１４】
請求項２の発明においては、開閉手段が開口部を塞いでも、収容体の内部が完全な密閉状態になることはない。
したがって、駆動部等が発生する熱により、内部温度が高くなることを防止できる。なお、通気部の大きさは、メダル等の異物が入らない程度の大きさとすることが好ましい。
【００１５】
【発明の実施の形態】
以下、図面等を参照して、本発明のスロットマシンの各実施形態について説明する。まず最初に、各実施形態に共通の全体構成を解説する。
図１は、各実施形態に共通のスロットマシン１０の全体を示す前面の正面図である。また、図２は、図１中、スロットマシン１０のフロントマスク部１２を開放し、基体部１１の内部が見えるように図示した正面図である。
【００１６】
図１及び図２に示すように、各実施形態のスロットマシン１０の筐体は、基体部１１と、スロットマシン１０の前面部を構成するフロントマスク部１２とから構成されている。
このフロントマスク部１２の前面側（遊技者側）には、図１に示すように、スタートスイッチ４１及びストップスイッチ４２からなる操作スイッチ４０や、メダル投入口４３、メダル受け皿４４等が配置されている。
【００１７】
また、操作スイッチ４０の上方部であって、フロントマスク部１２の中央部には、透明なサブ表示窓１２ａが設けられている。そして、フロントマスク部１２を閉じた状態では、このサブ表示窓１２ａから、サブリールユニット５０における各サブリール５１の一部（サブリール５１のサブ表示窓１２ａに対向する部分）が透視できるように構成されている。
【００１８】
サブリールユニット５０は、リング状のサブリール５１を備えるものであり、本発明における各実施形態のスロットマシン１０では、図１に示すように、サブリールユニット５０を３つ並設することにより、サブ図柄変動表示装置を構成している（以下、３つのサブリール５１全体を指すときは、サブリール５１群という）。
【００１９】
また、サブリール５１群の外周面には、複数種類の図柄（演出を構成する図柄等）が直接印刷されるか、図柄を印刷したリールテープが貼付されており、サブリール５１群の図柄は、フロントマスク部１２を閉じた際に、フロントマスク部１２の前面側から見えるようになっている。なお、サブリール５１群の内周内側には、上下に連続する３図柄を背後から照光するためのバックランプ５３が固定されている。
【００２０】
さらに、サブ表示窓１２ａよりも上部には、透明なメイン表示窓１２ｂが配置されている。このメイン表示窓１２ｂは、２つのスピーカ２２に挟まれて位置しており、サブ表示窓１２ａよりも小さく形成されている。また、メインリールユニット３０における各メインリール３１の一部（メインリール３１のメイン表示窓１２ｂに対向する部分）が透視できるように構成されている。
【００２１】
メインリールユニット３０は、リング状のメインリール３１を備えるものであり、本発明における各実施形態のスロットマシン１０では、図１に示すように、メインリールユニット３０を３つ並設することにより、メイン図柄変動表示装置を構成している（以下、３つのメインリール３１全体を指すときは、メインリール３１群という）。
【００２２】
また、メインリール３１群の外周面には、複数種類の図柄（役を構成する図柄等）が直接印刷されるか、図柄を印刷したリールテープが貼付されており、メインリール３１群の図柄は、フロントマスク部１２の前面側から見えるようになっている。なお、メインリール３１群の内周内側には、１つの図柄を背後から照光するためのバックランプ３３が固定されている。
【００２３】
ところで、フロントマスク部１２は、スロットマシン１０の前面部を構成しているが、基体部１１に対し、基体部１１の前面を開閉可能なようにして取り付けられている。
したがって、フロントマスク部１２を開放すれば、図２に示すように、フロントマスク部１２の裏面側及び基体部１１の内部を露出させることができる。
【００２４】
フロントマスク部１２の裏面側には、図２に示すように、メイン図柄変動表示装置が固定されている。このメイン図柄変動表示装置は、メインリール３１群（図１参照）を含むメインリールユニット３０から構成されており、各メインリール３１の回転中心部にはそれぞれモータ３２（後述）が連結されている。そして、後述するように、モータ３２の駆動制御によって各メインリール３１の回転及び停止が制御され、その回転及び停止の状況は、フロントマスク部１２のメイン表示窓１２ｂ（図１参照）から透視できるようになっている。
【００２５】
このようなメインリールユニット３０は、図２に示すように、本発明における収容体に相当するリールケース本体１０９及びリールケースカバー１１０の内部に収容され、２つのスピーカ２２に挟まれて配置されている。そして、リールケース本体１０９とフロントマスク部１２の裏面側とは、固定板１０６によって取り付けられている。
したがって、メイン図柄変動表示装置は、各メインリール３１や各モータ３２等が全て一体のユニットとして、フロントマスク部１２に固定されることとなる。
【００２６】
また、メイン図柄変動表示装置においては、各メインリール３１が全て、リールケース本体１０９及びリールケースカバー１１０によって覆われることとなる。しかも、上述した通り、フロントマスク部１２の前面側にはメイン表示窓１２ｂ（図１参照）が設けられている。
したがって、フロントマスク部１２を開放しただけでは、メインリール３１に触れることはできない。
【００２７】
基体部１１は、木材等を組み立てて、前面を開口した箱形に形成したものである。この基体部１１の内部には、図２に示すように、下方部に、電源ユニット１０１及びメダルを貯留しておくホッパーを含むメダル払出し装置１０２が設けられている。
また、これらの電源ユニット１０１及びメダル払出し装置１０２上には、支持板１０３が設けられており、この支持板１０３上にサブ図柄変動表示装置が搭載されている。
【００２８】
サブ図柄変動表示装置は、サブリール５１群を含むサブリールユニット５０から構成されており、サブリール５１群の回転中心部にはそれぞれモータ（図示せず）が連結されている。そして、サブリール５１群は、フロントマスク部１２の裏面側に配置されたサブ制御基板１０８の指令によるモータの駆動制御によって回転及び停止し、その回転及び停止の状況は、フロントマスク部１２のサブ表示窓１２ａから透視できる。
【００２９】
サブリール５１群の回転を制御するサブ制御基板１０８は、フロントマスク部１２の裏面側に配置されたリールケースカバー１１０の後部に取り付けられている。このサブ制御基板１０８は、遊技中における演出を制御する基板であって、サウンドの出力、ランプ類の点灯、サブリール５１群の動作制御等を行うものであり、図示しないが、演算等を行うＣＰＵ、演出のプログラムを記憶したＲＯＭ、及びデータを一時的に記憶するＲＡＭ等を備えている。
【００３０】
そのため、サブ表示窓１２ａに表示される図柄は、サブリール５１群の外周面のものであって、サブ表示窓１２ａには、サブ制御基板１０８の演出プログラムに基づくサブリール５１群の回転若しくは停止動作、又は最終的位置におけるサブリール５１群の図柄の組合せのうちの少なくとも１つに基づく演出が表示されることとなる。
【００３１】
なお、図２に示すように、フロントマスク部１２を開放することにより、基体部１１の内部でサブリール５１群の一部が露出する。そのため、フロントマスク部１２を開放するだけで、サブリール５１を容易に露出させることができる（この点、メインリール３１と異なる）。
【００３２】
また、サブリールユニット５０の上方部であって、基体部１１内部における背面側には、メイン制御基板１０４が設けられている。このメイン制御基板１０４は、各メインリール３１の始動及び停止制御を含む、遊技の進行等の遊技全体を統括制御するための制御基板であり、図示しないが、上述したサブ制御基板１０８と同様に、演算等を行うＣＰＵ、遊技プログラムを記憶したＲＯＭ、及びデータを一時的に記憶するＲＡＭ等を備えるものである。
【００３３】
すなわち、メイン制御基板１０４が遊技全体を統括制御し、上述したサブ制御基板１０８は、メイン制御基板１０４の下位に属する基板で、演出の全体の制御を担当するようになっている。
そして、このサブ制御基板１０８とメイン制御基板１０４とは、図示しないハーネスにより電気的に接続されており、メイン制御基板１０４からサブ制御基板１０８に対して演出実行指令等を送信するようになっている。
【００３４】
なお、メイン制御基板１０４は、透明樹脂からなるケース１０５内に収容されている。このケース１０５は、メイン制御基板１０４を収容した後にかしめられて、メイン制御基板１０４を封印する。
したがって、メイン制御基板１０４に備えられたＲＯＭ等は、封印を外さない限り交換できないようになっている。ただし、ＲＡＭの記憶内容の変更は、外部端子によって可能である。
【００３５】
このように、メイン制御基板１０４によってメインリール３１群が制御され、メインリール３１群の外周面の図柄は、図１に示すメイン表示窓１２ｂに表示される。すなわち、メイン表示窓１２ｂには、停止時のメインリール３１群の図柄の組合せによる遊技結果が表示される。
【００３６】
そして、メイン制御基板１０４は、メイン表示窓１２ｂに表示される図柄に対応する、各メインリール３１の停止位置を記憶しておく必要がある。
そこで次に、メインリール３１群の基準位置を特定するための機構について説明する。
【００３７】
図３は、メインリールユニット３０において、メインリール３１とモータ３２との間に取り付けられる各部材（中継軸３４、基準片形成部材３６）をそれぞれ分解して示す斜視図である。また、図４は、メインリールユニット３０の一部断面図であって、図４の下側が、図１に示すフロントマスク部１２のメイン表示窓１２ｂに対向する。
【００３８】
メインリールユニット３０は、図３及び図４に示すように、モータ３２と、モータ３２を固定する取付板３７と、中継軸３４と、基準片形成部材３６と、メインリール３１と、ランプハウス３８とから構成されている。
ここで、モータ３２は、本発明における駆動部に相当するものであり、メインリール３１を回転させるものである。このモータ３２は、取付板３７に固定されるとともに、メインリール３１の内周部に配置される。また、モータ３２の回転軸３２ａは、その軸方向に垂直な面で切断したときの切断面がほぼＤ形（以下、Ｄカット形状と略称する）に形成されている。
【００３９】
中継軸３４は、モータ３２の回転軸３２ａに固定される。この中継軸３４におけるモータ３２と対向する側の面の中心部には、図４に示すような穴３４ａが形成されており、この穴３４ａはＤカット形状に形成されている。そして、モータ３２の回転軸３２ａが穴３４ａに挿入されることにより、モータ３２の回転軸３２ａに中継軸３４が取り付けられる。また、中継軸３４のモータ３２の回転軸３２ａが取り付けられた側と反対側には、Ｄカット形状を有する筒部３４ｄ（図３参照）を有する。
【００４０】
基準片形成部材３６は、ほぼ円板状の基体の外周側面の一部に基準片３６ａを一体的に形成したものである。この基準片３６ａは、図３に示すように、センサ３５で検出されるようになっており、センサ３５がこの基準片３６ａを検知することによって、メインリール３１の回転方向における基準位置が特定される。
【００４１】
基準片形成部材３６の中心部にはＤカット形状を有する穴３６ｂが形成されており、この穴３６ｂの形状と、中継軸３４のＤカット形状を有する筒部３４ｄとが嵌合するように形成されている。そして、基準片形成部材３６の穴３６ｂに中継軸３４の筒部３４ｄが入り込むことにより、両者が嵌合される。なお、基準片形成部材３６の穴３６ｂに中継軸３４の筒部３４ｄが入り込むと、筒部３４ｄは基準片形成部材３６の穴３６ｂを貫通し、基準片形成部材３６の外面から突出するようになる。
【００４２】
メインリール３１は、図４に示すように、ネジ３９によって中継軸３４にネジ止めされる。これにより、モータ３２に固定された中継軸３４に、基準片形成部材３６及びメインリール３１が固定される。
以上より、モータ３２が回転すると、モータ３２の回転軸３２ａに固定され、一体となっている中継軸３４、基準片形成部材３６及びメインリール３１が一緒に回転する。
【００４３】
センサ３５は、図３に示すように、凹状に形成され、それぞれの内壁側に発光素子と受光素子とを備える光学センサとなっている。そして、モータ３２の回転に伴って基準片形成部材３６が回転したときに、基準片３６ａがセンサ３５の受発光素子間（凹状の内部）を通過するように配置されている。これにより、メインリール３１が１回転するごとに１回、基準片３６ａがセンサ３５を通過するようになる。
【００４４】
すると、センサ３５の凹状の部分の間に基準片３６ａが存在しない場合（基準片３６ａが通過中でない場合）には、センサ３５の発光素子からの出射光を受光素子で受光することができるが、基準片３６ａがセンサ３５内を通過しているときには、センサ３５の発光素子からの出射光が基準片３６ａにより遮光されるので、受光素子に入射しなくなる。
そのため、この出射光を検知できなくなったときに、基準片３６ａが通過したと判断できる。
【００４５】
したがって、メインリール３１の回転方向における基準位置（ホームポジション）を設定し、それに合わせて基準片３６ａを配置すれば、センサ３５が基準片３６ａを検出したときの基準位置からのメインリール３１の移動量（モータ３２がステッピングモータの場合にはステップ数）を記憶することで、図柄位置を把握できる。また、メインリール３１の移動量を演算することにより、停止すべき位置にメインリール３１を停止させることができる。さらにまた、メインリール３１が停止したときには、その停止位置がＲＡＭに記憶される。
【００４６】
ところで、出玉率の設定値は、数段階設けられており（例えば設定１〜設定６の６段階）、出玉率を変更するために、設定値の変更が行われる。そして、設定値の変更が行われたときには、メインリール３１の停止位置のデータを含めた、ＲＡＭに記憶されたデータがクリア（消去）される。
【００４７】
このように、設定値の変更に伴ってＲＡＭがクリアされた場合には、メインリール３１の停止位置のデータが失われてしまう。そして、この状態で遊技を行うと、第１遊技目では、直前に停止したメインリール３１の位置が不明であるために、メインリール３１の回転開始時の挙動が通常時と異なるようになる。
【００４８】
その結果、遊技者は、第１遊技目のメインリール３１の挙動から、設定変更の有無を判別することが可能となる。
このような事態は、遊技者に対して、設定変更の有無を判別できる手段を提供することとなるので、好ましくない。
【００４９】
そこで、設定変更の有無の判別を困難にするために、事前管理が行われる。
すなわち、管理者は、全てのスロットマシン１０について、手動で任意にメインリール３１を回転させることで、設定値の変更をしたかどうかを判別できないようにしておく。
【００５０】
しかし、メインリールユニット３０は、図１及び図２を参照して説明した通り、フロントマスク部１２の裏面側で、リールケース本体１０９及びリールケースカバー１１０の内部に並設され、ほぼ密閉された状態にある。そのため、このままでは管理者が手動でメインリール３１を回転させることができない。
そこで以下、メインリール３１を手動で回転できるようにした各実施形態のスロットマシン１０について、詳細に説明する。
【００５１】
（第１実施形態）
図５は、メインリール３１を手動で回転できるようにした第１実施形態のスロットマシン１０におけるメイン図柄変動表示装置を示す図であり、メイン図柄変動表示装置を含むユニットを前面側から見た斜視図である。
【００５２】
図５に示すように、メインリール３１を含むメインリールユニット３０は、本発明における収容体に相当するリールケース本体１０９及びリールケースカバー１１０の内部に３個並設されている。すなわち、メインリールユニット３０の収容体は、リールケース本体１０９とリールケースカバー１１０との２ピース構造になっている。
【００５３】
そして、リールケース本体１０９の前面側の開口面１０９ａが、図１に示すメイン表示窓１２ｂと一致するように、固定板１０６によってフロントマスク部１２（図２参照）の裏面側に取り付けられる。なお、リールケースカバー１１０の後部には、基板ケース本体１１１が取り付けられており、この基板ケース本体１１１にサブ制御基板１０８が取り付けられ、このサブ制御基板１０８は基板ケースカバー１１２によって覆われる。
【００５４】
このように、メインリールユニット３０は、リールケース本体１０９及びリールケースカバー１１０によって覆われる。しかも、リールケース本体１０９の前面側の開口面１０９ａは、フロントマスク部１２（図２参照）の裏面側に取り付けられ、メイン表示窓１２ｂ（図１参照）で塞がれる。
したがって、フロントマスク部１２を開放し、メインリール３１を手動で回転させようとしても、このままではメインリール３１に触れることができない。
【００５５】
そこで、第１実施形態では、リールケースカバー１１０の上面に３つの開口部１１０ａを設けている。この各開口部１１０ａは、それぞれ３つのメインリール３１に対応した位置に設けられている。また、開口の大きさは、指１本が入り、指先でメインリール３１に直接触れることができ、メインリール３１を手動で回転させることができる程度の大きさとなっており、具体的には、縦２ｃｍ×横２ｃｍの正方形の開口である。
【００５６】
各開口部１１０ａは、通常時には、図５に示すように、本発明の開閉手段に相当するシャッター１１３で閉じられており、メダル等の異物がリールケース本体１０９及びリールケースカバー１１０の内部に侵入しないようになっている。
したがって、各開口部１１０ａは、メインリール３１を手動で回転させたい場合等にのみ使用するものである。
【００５７】
シャッター１１３は、リールケースカバー１１０の上面であって、リールケース本体１０９における固定板１０６の取付片１０９ｂと、リールケースカバー１１０と基板ケース本体１１１との間からリールケース本体１０９に向けて取り付けられたハーネス押え１２０との間に挿入されている。そして、シャッター１１３は、メインリール３１の並び方向（図５の左上又は右下方向）にスライドするようになっている。
【００５８】
また、シャッター１１３には、リールケースカバー１１０の各開口部１１０ａに対応した３つの開口部１１３ａが設けられている。この開口部１１３ａは、リールケースカバー１１０の開口部１１０ａと同じ大きさ（縦２ｃｍ×横２ｃｍの正方形）であり、シャッター１１３を図５の右下方向にスライドさせると、シャッター１１３の各開口部１１３ａがリールケースカバー１１０の各開口部１１０ａとそれぞれ一致するようになる。
したがって、開口部１１０ａ及び開口部１１３ａを通して、メインリール３１に触れることができるようになる。
【００５９】
このように、第１実施形態のスロットマシン１０では、フロントマスク部１２（図２参照）を開放し、シャッター１１３を開けてメインリール３１を手動で回転させることで、メインリール３１の停止位置を変えることができる。そして、メインリール３１を回転させた後は、メダル等の異物が侵入しないようにシャッター１１３を閉じておく。
【００６０】
なお、図示はしないが、シャッター１１３の外れを防止し、シャッター１１３をメインリール３１の並び方向にのみ可動させるスライドガイドと、シャッター１１３を開けた際に、開口部１１０ａと開口部１１３ａとが一致した位置で止まるようにするストッパーと、シャッター１１３を閉めた際に、開口部１１０ａが閉じた位置で止まるようにするストッパーとが、それぞれ設けられている。
【００６１】
（第２実施形態）
図６及び図７は、第２実施形態のスロットマシン１０におけるリールケースカバー１１０のみを取り出して、後面側から見た斜視図であり、図６は、リールケースカバー１１０の開口部１１０ａを開けた状態を示し、図７は、リールケースカバー１１０の開口部１１０ａを閉めた状態を示している。
【００６２】
図６及び図７に示す第２実施形態は、図５に示す第１実施形態と同様に、リールケースカバー１１０の上面に３つの開口部１１０ａを設けたものである。そして、この開口部１１０ａは、３つのメインリール３１（図示せず）に対応した位置に設けられ、開口の大きさは、指先でメインリール３１を回転させることができる、縦２ｃｍ×横２ｃｍの正方形となっている。
【００６３】
一方、シャッター１１３の上面にも３つの開口部１１３ａが設けられている。これらの開口部１１３ａは、それぞれの大きさ及び間隔とも、リールケースカバー１１０の開口部１１０ａと同じになっている。ただし、シャッター１１３の隣接する開口部１１３ａ  同士の間隔は、リールケースカバー１１０の個々の開口部１１０ａの横幅よりも大きくなっているので、隣接する開口部１１３ａ  の中間に開口部１１０ａを位置させれば、開口部１１０ａは完全に塞がれる。
【００６４】
また、リールケースカバー１１０の上面後部には、２つのスライドガイド１１０ｂが設けられている。このスライドガイド１１０ｂは、シャッター１１３の上端面を押えるように断面が略Ｌ形に形成されている。そのため、図６及び図７の左上側からスライドガイド１１０ｂに向けてシャッター１１３を挿入した後、リールケース本体１０９（図示せず）にリールケースカバー１１０を取り付ければ、シャッター１１３の外れが防止され、しかも、シャッター１１３が図６及び図７の左下又は右上方向にのみスライドできるようになる。
【００６５】
さらに、シャッター１１３の中央部に形成されたストッパー１１３ｂが、２つのスライドガイド１１０ｂの間に突出しているので、シャッター１１３の左下又は右上方向の可動範囲は、スライドガイド１１０ｂによって制限される。なお、シャッター１１３の可動範囲においては、シャッター１１３の両端部がリールケースカバー１１０の左右に飛び出すことはないので、リールケースカバー１１０の周囲にある他の部品と干渉することはない。
【００６６】
したがって、メインリール３１を手動で回転させたい場合には、図６に示すように、シャッター１１３のストッパー１１３ｂがリールケースカバー１１０の左側のスライドガイド１１０ｂに当たって止まるまで、シャッター１１３を左下方向（２点鎖線の矢印方向）にスライドさせればよい。
【００６７】
すると、リールケースカバー１１０の各開口部１１０ａとシャッター１１３の各開口部１１３ａとがそれぞれ一致するようになるので、管理者は、開口部１１０ａ及び開口部１１３ａを通して、各メインリール３１を手動で回転させることができるようになる。
【００６８】
また、通常時は、リールケースカバー１１０の各開口部１１０ａを閉めておく。そのためには、図７に示すように、シャッター１１３のストッパー１１３ｂがリールケースカバー１１０の右側のスライドガイド１１０ｂに当たって止まるまで、シャッター１１３を図７の右上方向（２点鎖線の矢印方向）にスライドさせればよい。
【００６９】
すると、リールケースカバー１１０の各開口部１１０ａがシャッター１１３の各開口部１１３ａからずれ、中間及び右側の開口部１１０ａは隣接する開口部１１３ａ  の中間に位置し、左側の開口部１１０ａはシャッター１１３端部の開口部１１３ａのない部分に位置することとなり、全ての開口部１１０ａが塞がれる。よって、メダル等の異物がリールケースカバー１１０内に侵入することはない。
【００７０】
（第３実施形態）
図８は、第３実施形態のスロットマシン１０におけるリールケースカバー１１０のみを取り出して、後面側から見た斜視図である。
図８に示す第３実施形態は、図６及び図７に示す第２実施形態とほぼ同様の構成であるが、第２実施形態で用いたシャッター１１３に、新たに本発明の通気部に相当する通気穴１１３ｃを設けた点が相違している。
【００７１】
すなわち、図８に示すように、シャッター１１３のストッパー１１３ｂがリールケースカバー１１０の右側のスライドガイド１１０ｂに当たって止まるまで、シャッター１１３を図８の右上方向（２点鎖線の矢印方向）にスライドさせると、リールケースカバー１１０の各開口部１１０ａとシャッター１１３の各開口部１１３ａとがずれ、リールケースカバー１１０の各開口部１１０ａが塞がれる。この場合、リールケースカバー１１０の内部が完全な密閉状態となり、内部に設けられているモータ３２（図示せず）の熱等によって、内部温度が高くなることが考えられる。
【００７２】
そこで、第３実施形態においては、図８の拡大部分に示すように、リールケースカバー１１０の各開口部１１０ａを閉じた際に、シャッター１１３の通気穴１１３ｃだけが最も左側の開口部１１０ａと重なるようにし、相応の通気性を確保している。なお、通気穴１１３ｃの大きさは、メダル等の異物が入らない程度の大きさとすることが好ましく、図８に示す第３実施形態では、縦１．５ｃｍ×横０．２ｃｍとしている。
【００７３】
（第４実施形態）
図９及び図１０は、第４実施形態のスロットマシン１０におけるリールケースカバー１１０のみを取り出して、後面側から見た斜視図であり、図９は、リールケースカバー１１０の開口部１１０ａを開けた状態を示し、図１０は、リールケースカバー１１０の開口部１１０ａを閉めた状態を示す図である。
【００７４】
図９及び図１０に示す第４実施形態は、図６及び図７に示す第２実施形態とほぼ同様の構成であるが、新たに、リールケースカバー１１０の上面の左端部に凸部１１０ｃを設けるとともに、シャッター１１３の下面の左端部に凹部１１３ｄを設け、凹部１１３ｄに凸部１１０ｃが嵌まり込むようにした嵌合手段を設けた点が相違している。
【００７５】
すなわち、図９に示すように、シャッター１１３のストッパー１１３ｂがリールケースカバー１１０の左側のスライドガイド１１０ｂに当たって止まるまで、シャッター１１３を図９の左下方向（２点鎖線の矢印方向）にスライドさせれば、リールケースカバー１１０の各開口部１１０ａが開く。また逆に、図１０に示すように、シャッター１１３のストッパー１１３ｂがリールケースカバー１１０の右側のスライドガイド１１０ｂに当たって止まるまで、シャッター１１３を図１０の右上方向（２点鎖線の矢印方向）にスライドさせれば、リールケースカバー１１０の各開口部１１０ａが閉じる。
【００７６】
ところが、リールケースカバー１１０のスライドガイド１１０ｂは、シャッター１１３の可動範囲を制限するだけで、２つのスライドガイド１１０ｂ間において、シャッター１１３を何ら拘束するものではない。そのため、シャッター１１３が振動等によって移動してしまうおそれがある。
【００７７】
例えば、シャッター１１３をスライドさせ、シャッター１１３の各開口部１１３ａとリールケースカバー１１０の各開口部１１０ａを一致させたはずが、スライドガイド１１０ｂに跳ね返されてシャッター１１３が戻り、開口部１１３ａと開口部１１０ａとがずれてしまうことが考えられる。この場合は、シャッター１１３が十分に開いていないこととなり、位置ずれを修正しなければ、メインリール３１に触れることができなくなってしまう。また逆に、シャッター１１３を閉じたはずが、十分に閉じていないこともあり得る。
【００７８】
そこで、第４実施形態においては、嵌合手段によって、シャッター１１３を開けた場合は、図９に示すように、シャッター１１３の左端の凹部１１３ｄがリールケースカバー１１０の左端の凸部１１０ｃに嵌まり込み、その位置を維持するようにしている。また逆に、シャッター１１３を閉めた場合は、図１０の拡大部分に示すように、シャッター１１３の左端がリールケースカバー１１０の凸部１１０ｃに当接し、その位置を維持するようにしている。
【００７９】
ここで、凸部１１０ｃに対する凹部１１３ｄの嵌まり具合は、シャッター１１３をスライドさせた際に適度なクリック感を持ち、シャッター１１３の位置が軽く維持できる程度となっており、樹脂製のシャッター１１３の弾性変形によって達成されている。
【００８０】
（第５実施形態）
図１１は、第５実施形態のスロットマシン１０におけるリールケースカバー１１０のみを取り出して、後面側から見た斜視図である。
図１１に示す第５実施形態は、図６及び図７に示す第２実施形態とほぼ同様の構成であるが、新たに、リールケースカバー１１０の右側のスライドガイド１１０ｂとシャッター１１３のストッパー１１３ｂとの間に、閉忘れ防止手段として（引張）コイルバネ１１４を設けた点が相違している。
【００８１】
すなわち、シャッター１１３の開放後は、シャッター１１３を閉じて通常時の状態に戻しておくのであるが、もし仮に、管理者が閉じる操作を失念してしまった場合には、リールケースカバー１１０の各開口部１１０ａが開いた状態で放置されることとなる。このような事態は、メダル等の異物の侵入を招き、メインリールユニット３０を故障させる原因ともなる。
【００８２】
そこで、第５実施形態においては、図１１に示すように、シャッター１１３が常に図１１の右上方向（２点鎖線の矢印と逆の方向）に付勢されるコイルバネ１１４を閉忘れ防止手段として取り付け、シャッター１１３を図１１の左下方向（２点鎖線の矢印方向）にスライドさせた場合には、コイルバネ１１４が伸びて、シャッター１１３が開くようにしている。
【００８３】
そして、指で押さえる等してこの状態を維持すれば、シャッター１１３の各開口部１１３ａとリールケースカバー１１０の各開口部１１０ａとが一致したままとなり、開口部１１３ａ及び開口部１１０ａを通して、メインリール３１を手動で回転させることができるようになる。
【００８４】
一方、シャッター１１３を押さえていた指を放せば、特にシャッター１１３を戻さなくても、伸びていたコイルバネ１１４が元に戻る力で、シャッター１１３が自動的に閉じられる。したがって、シャッター１１３の閉め忘れが防止される。なお、コイルバネ１１４は、引張コイルバネに限らず圧縮コイルバネを用いることもできるし、閉忘れ防止手段として、コイルバネ１１４以外の弾性体等を利用することもできる。
【００８５】
（第６実施形態）
図１２は、第６実施形態のスロットマシン１０におけるリールケースカバー１１０のみを取り出して、後面側から見た斜視図である。
図１２に示す第６実施形態は、図６及び図７に示す第２実施形態で用いたシャッター１１３に代えて、着脱式のフタ１１５を設けた点が相違している。
【００８６】
ここで、フタ１１５は、樹脂製であり、下に向けて突出する一対の爪１１５ａが形成されたものである。そして、リールケースカバー１１０の各開口部１１０ａに対応する３つのフタ１１５を用い、通常はフタ１１５で各開口部１１０ａを塞いでおき、メインリール３１を手動で回転させたい場合に取り外すようになっている。
【００８７】
すなわち、フタ１１５の爪１１５ａは適度な弾性を有しており、図１２に示すように、リールケースカバー１１０の各開口部１１０ａに合わせて、フタ１１５を図１２の下方向（２点鎖線の矢印方向）に押し込めば、爪１１５ａが適度なクリック感を持って開口部１１０ａと嵌まり合い、開口部１１０ａが閉じられる。一方、逆にフタ１１５を引き抜けば、爪１１５ａが弾性変形して開口部１１０ａから外れ、開いた状態になる。
【００８８】
（第７実施形態）
図１３は、第７実施形態のスロットマシン１０におけるリールケースカバー１１０のみを取り出して、後面側から見た斜視図である。
図１３に示す第７実施形態は、図１２に示す第６実施形態の変形例であり、第６実施形態における３つのフタ１１５を一体化した長方形の１つのフタ１１５を用いる点が相違している。
【００８９】
すなわち、第６実施形態のように、リールケースカバー１１０の３つの開口部１１０ａに合わせて３つのフタ１１５を用意するのではなく、各開口部１１０ａを同時に開閉する１つのフタ１１５を用いたものである。したがって、各開口部１１０ａごとに個別にフタ１１５を着脱する必要はなく、フタ１１５を１回着脱すれば、３つの開口部１１０ａが全て開閉する。
【００９０】
ここで、フタ１１５の爪１１５ａが適度な弾性を有している点は、第６実施形態の場合と同様であるが、第７実施形態においては、リールケースカバー１１０の中央の開口部１１０ａに対応する爪はない。そのため、フタ１１５の中央部分を持ち上げれば、極めて簡単に取り外しができる。
【００９１】
また、フタ１１５の爪１１５ａが少し高く形成されるとともに、部分的に突起１１５ｂが形成されており、フタ１１５を閉めた際に、突起１１５ｂがリールケースカバー１１０の各開口部１１０ａの中間に位置するようになっていることから、フタ１１５を閉めても、各開口部１１０ａの上部は突起１１５ｂの高さだけ開いた状態となり、ここが本発明の通気部となる。したがって、第７実施形態においては、リールケースカバー１１０内外の通気性が確保される。
【００９２】
（第８実施形態）
図１４は、第８実施形態のスロットマシン１０におけるリールケースカバー１１０のみを取り出して、後面側から見た斜視図である。
図１４に示す第８実施形態は、図１３に示す第７実施形態の変形例であり、第７実施形態におけるリールケースカバー１１０の３つの開口部１１０ａを１つにまとめ、大きな開口部１１０ａとした点が相違している。
【００９３】
すなわち、リールケースカバー１１０内の３つのメインリール３１に合わせて３つの開口部１１０ａを用意するのではなく、全てのメインリール３１に同時に触れることのできる１つの大きな開口部１１０ａとしたものである。したがって、フタ１１５を取り外せばどの位置のメインリール３１にもアクセスできる。なお、少し高く形成した爪１１５ａと突起１１５ｂとによって通気部が形成され、通気性が確保される点は、第７実施形態と同様である。
【００９４】
（第９実施形態）
図１５は、第９実施形態のスロットマシン１０におけるリールケースカバー１１０のみを取り出して、後面側から見た斜視図である。
図１５に示す第９実施形態は、図５に示す第１実施形態におけるリールケースカバー１１０と異なり、リールケースカバー１１０の後面に開口部１１０ａを設けた点が相違する。
【００９５】
すなわち、第１実施形態におけるリールケースカバー１１０にあっては、図５に示すように、その後面にサブ制御基板１０８を覆う基板ケース本体１１１及び基板ケースカバー１１２が取り付けられていた。そのため、リールケースカバー１１０の上面に開口部１１０ａを設けるようにしていた。
【００９６】
しかしながら、サブ制御基板１０８をリールケースカバー１１０の後面以外に取り付けるならば、図１５に示す第９実施形態のように、リールケースカバー１１０の後面に開口部１１０ａを設けてメインリール３１に触れることができるようになる。そして、リールケースカバー１１０の後面からメインリール３１を手動回転させる方が、操作が容易になる。
【００９７】
そこで、第９実施形態においては、リールケースカバー１１０の後面に開口部１１０ａを設けるとともに、本発明における開閉手段として、開閉式のドア１１６を取り付けたものである。このドア１１６は、３つの開口部１１０ａのそれぞれに取り付けられており、ヒンジ１１６ａによって開閉する。また、ドア１１６には開閉のための取っ手１１６ｂも形成されている。
【００９８】
なお、ドア１１６のヒンジ１１６ａに、閉忘れ防止手段としてバネ（図示せず）を取り付け、ドア１１６が常に閉まる方向にしておけば、閉め忘れを防止できる。また、図示しないが、ヒンジ１１６ａを開口部１１０ａの上部に配置し、ドア１１６を持ち上げて開けるようにすれば、ドア１１６が常に閉まる方向に重力が作用するので、閉め忘れを防止できる。さらに、リールケースカバー１１０の後面であれば、開口部１１０ａを上下方向にも大きくできるので、上下に長い長方形の開口部１１０ａとすれば、メインリール３１に触れることが一層容易になる。
【００９９】
（第１０実施形態）
図１６は、第１０実施形態のスロットマシン１０におけるリールケースカバー１１０のみを取り出して、後面側から見た斜視図である。
図１６に示す第１０実施形態は、図１５に示す第９実施形態におけるリールケースカバー１１０と同様に、リールケースカバー１１０の後面に開口部１１０ａを設けたものであるが、本発明における開閉手段として、開閉式のドアではなく、スライド式のシャッター１１３を設けた点が相違する。
【０１００】
すなわち、リールケースカバー１１０の後面には、開口部１１０ａとともに、２つのスライドガイド１１０ｂが設けられている。このスライドガイド１１０ｂは、シャッター１１３の左右両端面を押えるように断面が略Ｌ形に形成されており、シャッター１１３の外れを防止し、シャッター１１３が図１６の上下方向にのみスライドするようにしている。
【０１０１】
また、開口部１１０ａの下側にはストッパー１１０ｄが形成されている。そのため、シャッター１１３をスライドガイド１１０ｂの上方から挿入すれば、シャッター１１３が抜け落ちることはない。しかも、シャッター１１３が下に落ちた状態で開口部１１０ａが閉まることとなるので、シャッター１１３を上げたままの状態で放置しても、シャッター１１３が自然に下がり、開口部１１０ａの閉め忘れが防止される。
【０１０２】
ここで、スライドガイド１１０ｂは、シャッター１１３をリールケースカバー１１０の後面に密着させるものでなくてもよい。むしろ、シャッター１１３が外れない程度のガタを有するようにしておくことで、シャッター１１３とリールケースカバー１１０との間に本発明の通気部が形成され、シャッター１１３を閉めた際の通気性が確保できるようになる。
【０１０３】
一方、シャッター１１３を開ける際には、シャッター１１３の下端に形成された取っ手１１３ｅを使って持ち上げれば良い。すると、シャッター１１３の各開口部１１３ａとリールケースカバー１１０の各開口部１１０ａとが一致し、メインリール３１に触れることができるようになる。なお、図示しないが、開口部１１０ａや開口部１１３ａは、３つを１つにまとめ、左右方向に大きな開口部１１０ａ及び１１３ａとすることもできる、さらに、上下方向に大きくすることもできる。
【０１０４】
以上の各実施形態のように、本発明のスロットマシンにおける収容体には、外部からリールを手動で回転させることができる開口部を設けているので、収容体を取り外すことなく、リールを手動で回転させることができる。また、収容体の開口部には開閉手段を設けているので、必要時を除いて開口部を閉じておくことができ、リールユニットへの異物の混入を防止できる。
なお、本実施形態ではスロットマシンを例に挙げて説明したが、パチンコ枠にストップボタンを採用したパチンコ遊技球で遊技するタイプの遊技機にも使用することができる。
【０１０５】
【発明の効果】
（請求項１）
請求項１の発明によれば、収容体の開口部からリールを手動で回転させることができる。さらに、リールユニットの保守、点検も容易になる。
【０１０６】
（請求項２）
請求項２の発明によれば、開閉手段が、開口部を閉じた際に、収容体の内部と外部との通気性を確保する通気部を備えるので、駆動部等が発生する熱により、内部温度の上昇を抑制することができる。
【図面の簡単な説明】
【図１】本発明のスロットマシンを示す正面図であって、各実施形態に共通のものである。
【図２】図１中、スロットマシンのフロントマスク部を開放し、基体部の内部が見えるように図示した正面図である。
【図３】スロットマシンのメインリールユニットにおいて、メインリールとモータとの間に取り付けられる各部材をそれぞれ分解して示す斜視図である。
【図４】スロットマシンのメインリールユニットの一部断面図である。
【図５】第１実施形態のスロットマシンにおけるメイン図柄変動表示装置を示す図であり、メイン図柄変動表示装置を含むユニットを前面側から見た斜視図である。
【図６】第２実施形態のスロットマシンにおけるリールケースカバーのみを取り出し、開口部を開けた状態を後面側から見た斜視図である。
【図７】第２実施形態のスロットマシンにおけるリールケースカバーのみを取り出し、開口部を閉めた状態を後面側から見た斜視図である。
【図８】第３実施形態のスロットマシンにおけるリールケースカバーのみを取り出し、後面側から見た斜視図である。
【図９】第４実施形態のスロットマシンにおけるリールケースカバーのみを取り出し、開口部を開けた状態を後面側から見た斜視図である。
【図１０】第４実施形態のスロットマシンにおけるリールケースカバーのみを取り出し、開口部を閉めた状態を後面側から見た斜視図である。
【図１１】第５実施形態のスロットマシンにおけるリールケースカバーのみを取り出し、後面側から見た斜視図である。
【図１２】第６実施形態のスロットマシンにおけるリールケースカバーのみを取り出し、後面側から見た斜視図である。
【図１３】第７実施形態のスロットマシンにおけるリールケースカバーのみを取り出し、後面側から見た斜視図である。
【図１４】第８実施形態のスロットマシンにおけるリールケースカバーのみを取り出し、後面側から見た斜視図である。
【図１５】第９実施形態のスロットマシンにおけるリールケースカバーのみを取り出し、後面側から見た斜視図である。
【図１６】第１０実施形態のスロットマシンにおけるリールケースカバーのみを取り出し、後面側から見た斜視図である。
【符号の説明】
１０  スロットマシン
１１  基体部（筐体）
１２  フロントマスク部（筐体）
１２ａ  サブ表示窓
１２ｂ  メイン表示窓
２２  スピーカ
３０  メインリールユニット
３１  メインリール
３２  モータ（駆動部）
３２ａ  回転軸
３３  バックランプ
３４  中継軸
３４ａ  穴
３４ｄ  筒部
３５  センサ
３６  基準片形成部材
３６ａ  基準片
３６ｂ  穴
３７  取付板
３８  ランプハウス
３９  ネジ
４０  操作スイッチ
４１  スタートスイッチ
４２  ストップスイッチ
４３  メダル投入口
４４  メダル受け皿
５０  サブリールユニット
５１  サブリール
５３  バックランプ
１０１  電源ユニット
１０２  メダル払出し装置
１０３  支持板
１０４  メイン制御基板
１０５  ケース
１０６  固定板
１０８  サブ制御基板
１０９  リールケース本体
１０９ａ  開口面
１０９ｂ  取付片
１１０  リールケースカバー
１１０ａ  開口部
１１０ｂ  スライドガイド
１１０ｃ  凸部
１１０ｄ  ストッパー
１１１  基板ケース本体
１１２  基板ケースカバー
１１３  シャッター
１１３ａ  開口部
１１３ｂ  ストッパー
１１３ｃ  通気穴（通気部）
１１３ｄ  凹部
１１３ｅ  取っ手
１１４  コイルバネ
１１５  フタ
１１５ａ  爪
１１５ｂ  突起
１１６  ドア
１１６ａ  ヒンジ
１１６ｂ  取っ手
１２０  ハーネス押え
【図１】
2005007090.tif 000003
【図２】
2005007090.tif 000004
【図３】
2005007090.tif 000005
【図４】
2005007090.tif 000006
【図５】
2005007090.tif 000007
【図６】
2005007090.tif 000008
【図７】
2005007090.tif 000009
【図８】
2005007090.tif 000010
【図９】
2005007090.tif 000011
【図１０】
2005007090.tif 000012
【図１１】
2005007090.tif 000013
【図１２】
2005007090.tif 000014
【図１３】
2005007090.tif 000015
【図１４】
2005007090.tif 000016
【図１５】
2005007090.tif 000017
【図１６】
2005007090.tif 000018